(57)【要約】【課題】複数の配索構成に対応することができる端子台を提供する。【解決手段】多相交流電力で駆動される機器に取り付けられ、各相の給電ケーブル１１が締結される端子台１００であって、機器の外部に配置され、給電ケーブル１１を固定するボルト１４がスライド可能な長孔２４を有するケーブル固定部２３と、ケーブル固定部２３から機器の内部に伸張する端子バー２２とを有するバスバ２１を複数含み、各バスバ２１のケーブル固定部２３に設けられている長孔２４を、同心の円弧状に配置する。【選択図】図１
2019050688.tif 000002
【特許請求の範囲】
【請求項１】
多相交流電力で駆動される機器に取り付けられ、各相の給電ケーブルが締結される端子台であって、
前記機器の外部に配置され、前記給電ケーブルを固定するボルトがスライド可能な長孔を有するケーブル固定部と、前記ケーブル固定部から前記機器の内部に伸張する端子バーと、を有するバスバを複数含み、
各前記バスバの前記ケーブル固定部に設けられている前記長孔が、同心の円弧状に配置されている端子台。
【発明の詳細な説明】
【技術分野】
【０００１】
本発明は、機器に取り付けられ、給電ケーブルが締結される端子台の構造に関する。
【背景技術】
【０００２】
モータやモータジェネレータ等の多相交流電力で駆動される回転電機では、回転電機の各相のコイルと各相の給電ケーブルとを接続する端子台が用いられている。端子台としては、一端側にステータコイルの端部が締結され、他端側に給電ケーブルの端部が固定される各相のバスバをケーシングに固定したものが多く用いられている（例えば、特許文献１参照）。
【先行技術文献】
【特許文献】
【０００３】
【特許文献１】特開２０１１−４５２６号公報
【発明の概要】
【発明が解決しようとする課題】
【０００４】
ところで、電動車両等に搭載される回転電機は、搭載位置や搭載方向、あるいは、制御装置の配置等により、給電ケーブルの引き出し方向が異なる場合がある。この場合、特許文献１に記載されたような端子台では、引き出し方向毎に異なる端子台を設計する必要があった。
【０００５】
そこで、本発明は、複数の配索構成に対応することができる端子台を提供することを目的とする。
【課題を解決するための手段】
【０００６】
本発明の端子台は、多相交流電力で駆動される機器に取り付けられ、各相の給電ケーブルが締結される端子台であって、前記機器の外部に配置され、前記給電ケーブルを固定するボルトがスライド可能な長孔を有するケーブル固定部と、前記ケーブル固定部から前記機器の内部に伸張する端子バーと、を有するバスバを複数含み、各前記バスバの前記ケーブル固定部に設けられている前記長孔が、同心の円弧状に配置されていることを特徴とする。
【発明の効果】
【０００７】
本発明の端子台は、各バスバのケーブル固定部に設けられている長孔に沿って給電ケーブルを固定するボルトの位置を変更することにより、給電ケーブルの端子台からの引き出し方向を自在に変更することができる。これにより、本発明の端子台は、複数の配索構成に対応することができる。
【図面の簡単な説明】
【０００８】
【図１】実施形態における端子台の斜視図である。
【図２】図１に示す端子台の平面図（ａ）と側面図（ｂ）である。
【図３】他の実施形態の端子台の斜視図（ａ）と平面図（ｂ）である。
【図４】他の実施形態の端子台の斜視図である。
【図５】他の実施形態の端子台の平面図（ａ）と側面図（ｂ）である。
【発明を実施するための形態】
【０００９】
以下、図面を参照しながら実施形態の端子台１００について説明する。図１に示すように、本実施形態の端子台１００は、二相、三相交流電力のような多相交流電力で駆動される電動機等の機器に取り付けられ、各相の給電ケーブル１１が締結される端子台１００である。
【００１０】
図１に示すように、端子台１００は、ケーシング９０と、ケーシング９０に固定されたバスバ２１（２１ｕ，２１ｖ，２１ｗ）とで構成されている。Ｕ相、Ｖ相のバスバ２１ｕ，２１ｖは、機器の外部に配置され、各相の給電ケーブル１１ｕ，１１ｖを固定するボルト１４がスライド可能な長孔２４ｕ，２４ｖを有するケーブル固定部２３ｕ、２３ｖと、ケーブル固定部２３ｕ，２３ｖから機器の内部に伸張する端子バー２２ｕ，２２ｖと、を有している。また、Ｗ相のバスバ２１ｗは、機器の外部に配置され、Ｗ相の給電ケーブル１１ｗを固定するボルト１４用のボルト孔２６を有するケーブル固定部２３ｗと、ケーブル固定部２３ｗから機器の内部に伸張する端子バー２２ｗと、を有している。端子バー２２（２２ｕ，２２ｖ，２２ｗ）の下端には、機器のステータコイルの端部が接続されるボルト孔２９がそれぞれ設けられている。
【００１１】
図２に示すように、バスバ２１ｕ，２１ｖの長孔２４ｕ，２４ｖは、図２に示す横方向の中心線２７と縦方向の中心線２８の交点として示される中心ｃに対する同心の円弧状に配置されている。図２に示すように、長孔２４ｕ，２４ｖの円弧状の中心線２５ｕ，２５ｖの各半径は、Ｒ１，Ｒ２である。
【００１２】
図１に示すように、各給電ケーブル１１（１１ｕ，１１ｖ，１１ｗ）の先端には、固定用のラグ１２（１２ｕ，１２ｖ，１２ｗ）が取り付けられている。各ラグ１２には、ボルト１４を通すボルト孔１２ａが設けられている。各給電ケーブル１１を各バスバ２１の各ケーブル固定部２３に固定する場合、各ラグ１２のボルト孔１２ａと角ワッシャ１３のボルト孔１３ａにボルト１４を通した後、ボルト１４の先端を、長孔２４ｕ，２４ｖ、ボルト孔２６にそれぞれ通し、ボルト１４と機器側のナット１５とを締め付ける。この際、図１に示す矢印９５のように、Ｕ相、Ｖ相の各給電ケーブル１１ｕ，１１ｖを固定する各ボルト１４を、長孔２４ｕ，２４ｖに沿って中心ｃの周りに回転させることにより、各相の給電ケーブル１１（１１ｕ，１１ｖ，１１ｗ）の引き出し方向を中心ｃの周りに自在に変更することができる。
【００１３】
このように、本実施形態の端子台１００は、各給電ケーブル１１（１１ｕ，１１ｖ，１１ｗ）の端子台１００からの引き出し方向を自在に変更することができ、複数の配索構成に対応することができる。
【００１４】
次に図３を参照しながら、他の実施形態の端子台１０１の構成について説明する。先に図１、図２を参照して説明したのと同様の部分には、１００番台の同様の符号を付して説明は省略する。図３（ａ）、（ｂ）に示すように、端子台１０１は、Ｕ相、Ｖ相のバスバ１２１ｕ，１２１ｖが略半円状の長孔１２４ｕ，１２４ｖを有しており、各長孔１２４ｕ，１２４ｖの各中心線１２５ｕ，１２５ｖは、中心ｃからそれぞれ半径Ｒ３の円弧上に配置されている。つまり、各バスバ１２１ｕ，１２１ｖの長孔１２４ｕ，１２４ｖは、ｃを中心とした同心の半円弧となるように配置されている。
【００１５】
本実施形態の端子台１０１は、図１、２を参照して説明した端子台１００では各相の給電ケーブル１１（１１ｕ，１１ｖ，１１ｗ）の引き出し方向を略９０度の範囲で変更できるのに対し、略１８０度の範囲で変更できるので、図１、２に示した端子台１００よりも多くの配索構造に対応することができる。
【００１６】
次に、図４を参照しながら他の実施形態の端子台１０２の構造について説明する。先に図１、図２を参照して説明したのと同様の部分には、２００番台の同様の符号を付して説明は省略する。図４に示す端子台１０２は、Ｕ相、Ｖ相、Ｗ相の各バスバ２２１ｕ，２２１ｖ，２２１ｗの各ケーブル固定部２２３ｕ，２２３ｖ，２２３ｗは、それぞれ中心ｃを中心とした半径Ｒ４で中心角が略１２０度の長孔２２４ｕ，２２４ｖ，２２４ｗを備えるものである。
【００１７】
本実施形態の端子台１０２は、各相の給電ケーブル１１（１１ｕ，１１ｖ，１１ｗ）の引き出し方向を略１２０度の範囲で変更できるものである。
【００１８】
次に、図５（ａ）、５（ｂ）を参照しながら、他の実施形態の端子台１０３について説明する。先に図１、図２を参照して説明したのと同様の部分には、３００番台の同様の符号を付して説明は省略する。図５に示すように、本実施形態の端子台１０３は、図１、２を参照して説明した端子台１００の略９０度の円弧状のケーブル固定部２３ｕ，２３ｖを３６０度の円環状のケーブル固定部３２３ｕ，３２３ｖとしたものである。
【００１９】
本実施形態の端子台１０３は、各相の給電ケーブル１１（１１ｕ，１１ｖ，１１ｗ）の引き出し方向を略３６０度の範囲で変更できるものである。
【００２０】
以上説明したように、各実施形態の端子台１００〜１０３は、各相の給電ケーブル１１（１１ｕ，１１ｖ，１１ｗ）の引き出し方向を自在に変更でき、多様な配索構造に対応することができる。
【符号の説明】
【００２１】
１１，１１ｕ，１１ｖ，１１ｗ  給電ケーブル、１２  ラグ、１２ａ，１３ａ，２６，２９  ボルト孔、１３  角ワッシャ、１４  ボルト、１５  ナット、２１，２１ｕ，２１ｖ，２１ｗ  バスバ、２２，２２ｕ，２２ｖ，２２ｗ  端子バー、２３，２３ｕ，２３ｖ，２３ｗ  ケーブル固定部、２４，２４ｕ，２４ｖ  長孔、２５ｕ，２５ｖ，２７，２８  中心線、９０  ケーシング、１００〜１０３  端子台。
【図１】
2019050688.tif 000003
【図２】
2019050688.tif 000004
【図３】
2019050688.tif 000005
【図４】
2019050688.tif 000006
【図５】
2019050688.tif 000007